(57)【要約】【課題】  部品点数を削減すると共に、雌スナップと雄スナップにおける係合力を維持し、生産コストの低減を計るスナップボタンを提供する。【解決手段】  一方の生地を貫通する雄型取付板と、雄型取付板を覆設する雄型筒状部と、雄型筒状部の上方に形成される雄型頭部と、雄型取付板との間隙に生地を挟着して雄型筒状部から生地と略同方向へ延設される鍔部とを備える雄スナップと、他方の生地を貫通し、金属材から形成される雌型筒状部の開口周縁に形成される雌型頭部と、雌型頭部との間隙に雌型取付板及び生地を挟着して固着する係合部と、雌型筒状部から内径方向に突出する突起部とを備える雌スナップとから構成されることを特徴とするスナップボタン。【選択図】  図１
2010264147.tif 000002
【特許請求の範囲】
【請求項１】
一方の生地を貫通する雄型取付板と、
雄型取付板を覆設する雄型筒状部と、
雄型筒状部の上方に形成される雄型頭部と、
雄型取付板との間隙に生地を挟着して雄型筒状部から生地と略同方向へ延設される鍔部とを備える雄スナップと、
他方の生地を貫通し、金属材から形成される雌型筒状部の開口周縁に形成される雌型頭部と、
雌型頭部との間隙に雌型取付板及び生地を挟着して固着する係合部と、
雌型筒状部から内径方向に突出する突起部とを備える雌スナップと
から構成されることを特徴とするスナップボタン。
【請求項２】
一方の生地を貫通する雄型取付板と、
雄型取付板を覆設する雄型筒状部と、
雄型筒状部の上方に形成される雄型頭部と、
雄型取付板との間隙に生地を挟着して雄型筒状部から生地と略同方向へ延設される鍔部とを備える雄スナップと、
他方の生地を貫通し、合成樹脂から形成される雌型筒状部の開口周縁に形成される雌型頭部と、
雌型頭部との間隙に雌型取付板及び生地を挟着して固着する係合部と、
雌型筒状部から内径方向に突出する突起部とを備える雌スナップと
から構成されることを特徴とするスナップボタン。
【請求項３】
突起部は雌型筒状部における周壁の径方向の少なくとも２箇所に設けられる請求項１又は請求項２に記載のスナップボタン。
【請求項４】
突起部は雌型筒状部における全周壁に設けられる請求項１又は請求項２に記載のスナップボタン。
【請求項５】
突起部は雌型筒状部における周壁の鉛直方向の少なくとも２箇所に設けられる請求項１乃至請求項４のいずれか１項に記載のスナップボタン。
【発明の詳細な説明】
【技術分野】
【０００１】
本発明は、スナップボタンに係るものであって、特にハトメを用いて雌スナップを形成したスナップボタンに関するものである。
【背景技術】
【０００２】
従来より、ハトメを用いて雌スナップを形成したスナップボタンが公知である。例えば、一方の生地に貫通される筒状部の開口部周縁に形成された環状受部と、この環状受部に内蔵されたバネと、前記環状受部が嵌挿されると共に前記生地に嵌入されて生地と面一になる環状鍔を有するリング状座金と、前記環状受部に嵌着される装飾リングと、からなる雌スナップと、他方の生地を貫通するカシメ鋲と、このカシメ鋲と前記生地を挟着する筒状部と、この筒状部に形成される頭部と、前記筒状部に形成され前記生地と面一になる鍔部と、からなる雄スナップと、を有するものがある（例えば、特許文献１参照）。
【０００３】
当該構造により、雌雄のスナップを完全に密着させることができ、上下の生地に隙間が無いように係合できることから、外観を美麗とすることができるものである。しかし、特許文献１における構造では、雄スナップと係合させる為のバネが雌スナップに内蔵されており、雌スナップは比較的多くの構成部品から構成されるものであった。
【０００４】
一方、特許文献１に係るスナップボタンとは異なり、バネを使用せずに雄スナップとの高い係合力を有するスナップボタンも公知である。当該構造においては、中央部に設けた孔の周囲部分を内側カール部として形成した雌スナップと該雌スナップと弾発係合するようになっている雄スナップとを組み合わせてなるスナップボタンであって、雄スナップがプラスチック製であり、支柱部と、該支柱部の上部に設けた球状の頭部と、該球状の頭部の周囲に形成された膨出部と、該膨出部の内側下方から下方に伸延し自由端に於いて終端する円筒状部とを具備するものである（例えば、特許文献２参照）。
【０００５】
当該特許文献２に係る構造により、頭部の内側部分に中空部を設けたことから雌スナップの孔への係入時に頭部が変形し易くなり、更に頭部の周囲部分が円筒状部によって補強されるので、雌スナップのような拡開するカール形状部との係合時に於ける横方向からの力に対する抵抗力が向上するものである。
【先行技術文献】
【特許文献】
【０００６】
【特許文献１】実公平６−３７７０４号公報
【特許文献２】実登第２５９４７０２号公報
【０００７】
特許文献２においては、バネをスナップボタンの構成部品から削除することができるものであり、雄スナップがプラスチックで形成されていることから、中空部を設けるというような複雑な形状であっても成形可能なものであるが、雄スナップを成形する金型のコストが増大する虞がある。
【発明の概要】
【発明が解決しようとする課題】
【０００８】
そこで、本発明はこのような問題点を解決するものであって、部品点数を削減すると共に、雌スナップと雄スナップにおける係合力を維持し、生産コストの低減を計るスナップボタンを提供することを課題とする。
【課題を解決するための手段】
【０００９】
前記問題点を解決するために、本発明の請求項１に記載の発明のスナップボタンは、一方の生地を貫通する雄型取付板と、雄型取付板を覆設する雄型筒状部と、雄型筒状部の上方に形成される雄型頭部と、雄型取付板との間隙に生地を挟着して雄型筒状部から生地と略同方向へ延設される鍔部とを備える雄スナップと、他方の生地を貫通し、金属材から形成される雌型筒状部の開口周縁に形成される雌型頭部と、雌型頭部との間隙に雌型取付板及び生地を挟着して固着する係合部と、雌型筒状部から内径方向に突出する突起部とを備える雌スナップとから構成されることを特徴とするものである。
【００１０】
また、本発明の請求項２に記載の発明のスナップボタンは、一方の生地を貫通する雄型取付板と、雄型取付板を覆設する雄型筒状部と、雄型筒状部の上方に形成される雄型頭部と、雄型取付板との間隙に生地を挟着して雄型筒状部から生地と略同方向へ延設される鍔部とを備える雄スナップと、他方の生地を貫通し、合成樹脂から形成される雌型筒状部の開口周縁に形成される雌型頭部と、雌型頭部との間隙に雌型取付板及び生地を挟着して固着する係合部と、雌型筒状部から内径方向に突出する突起部とを備える雌スナップとから構成されることを特徴とするものである。
【００１１】
また、本発明の請求項３に記載の発明のスナップボタンは、請求項１又は請求項２に記載のスナップボタンにおいて、突起部は雌型筒状部における周壁の径方向の少なくとも２箇所に設けられるものである。
【００１２】
また、本発明の請求項４に記載の発明のスナップボタンは、請求項１又は請求項２に記載のスナップボタンにおいて、突起部は雌型筒状部における全周壁に設けられるものである。
【００１３】
また、本発明の請求項５に記載の発明のスナップボタンは、請求項１乃至請求項４のいずれか１項に記載のスナップボタンにおいて、突起部は雌型筒状部における周壁の鉛直方向の少なくとも２箇所に設けられるものである。
【発明の効果】
【００１４】
本発明の請求項１及び請求項２に記載のスナップボタンでは、雌スナップにバネを採用することなく、雌型筒状部から内径方向に突出する突起部を設けたので、金属材又は合成樹脂の弾性力を利用して雌スナップと雄スナップを係合することができ、部品点数を削減することができる。
また、スナップボタンの係合時には、雌スナップにおける雌型頭部と、雄スナップにおける雄型頭部が外観に露呈することから、両者の色彩の組み合わせによりスナップボタンの意匠性を向上させることができる。
【００１５】
本発明の請求項３又は請求項４に記載のスナップボタンでは、突起部を雌型筒状部における周壁の径方向の少なくとも２箇所若しくは全周壁に設けたので、雌スナップと雄スナップの係合力を向上させることができる。
【００１６】
本発明の請求項５に記載のスナップボタンでは、突起部を雌型筒状部における周壁の鉛直方向の少なくとも２箇所に設けたので、分厚い生地であっても、雌スナップと雄スナップの係合力が低減されることはない。
【図面の簡単な説明】
【００１７】
【図１】本発明の実施例におけるスナップボタンにおける雌スナップ及び雄スナップを係合させる前の正面断面図である。
【図２】本発明の実施例におけるスナップボタンにおける雌スナップ及び雄スナップを係合させた後の拡大正面断面図である。
【図３】本発明の実施例におけるスナップボタンの平面図である。
【図４】本発明のスナップボタンを構成する雌型本体の別仕様の正面断面図である。
【図５】本発明のスナップボタンを構成する雌型本体の周壁の４箇所に突起部を設けた（ａ）平面図、（ｂ）正面図である。
【図６】本発明のスナップボタンを構成する雌型本体の全周壁に突起部を設けた（ａ）平面図、（ｂ）正面図である。
【発明を実施するための形態】
【００１８】
以下、本発明の実施の形態におけるスナップボタンを図面に基づいて説明する。
【実施例】
【００１９】
本発明に係るスナップボタンは、図１乃至図３に示すように、雌スナップ１と雄スナップ５から構成されている。また、雌スナップ１は、主に雌型本体２及び雌型取付板３とから構成され、雄スナップ５は、主に雄型本体６及び雄型取付板７とから構成されている。
【００２０】
雌型スナップ１を構成する雌型本体２は金属材から形成され、生地Ｆを貫通し略円筒状に形成される雌型筒状部２ｂと、当該雌型筒状部２ｂの開口周縁部が外径方向に延設してなる雌型頭部２ａとからなる。また、雌型筒状部２ｂの周壁には、内径方向に突出する断面略円形状の２箇所の突起部２ｃがプレス加工等によって形成されている。当該突起部２ｃは夫々が対向するように形成される。
【００２１】
雌型スナップ１を構成する雌型取付板３は同様にして金属材から形成され、生地Ｆに形成された貫通孔（図示しない）の周縁裏面に当接する略円形状の挟着部３ａと、当該挟着部３ａから外径方向に延設され、回り止めとされるパッキン４を生地Ｆとの間に介設させる鍔部３ｂとからなる。
【００２２】
雌スナップ１は、生地Ｆに形成された貫通孔の周縁表面に雌型頭部２ａを位置させ、雌型筒状部２ｂを貫通させた後、生地Ｆの貫通孔の周縁裏面にパッキン４を雌型筒状部２ｂに挿通させて配置し、更に雌型取付板３の挟着部３ａを雌型筒状部２ｂに挿通させ生地Ｆと当接させる。後に、雌型筒状部２ｂの端部を挟着部３ａと当接するように外径方向へ折曲させて、雌型本体２及び雌型取付板３とによって生地Ｆを狭持した状態で固着させる。折曲された雌型筒状部２ｂの端部は係合部２ｄとされる。
【００２３】
他方、雄型スナップ５を構成する雄型本体６は、雌スナップ１と同様にして金属材から形成され、略円筒状に形成される雄型筒状部６ｂと、当該雄型筒状部６ｂの開口周縁部が外径方向に延設してなる鍔部６ｃとからなる。また、雄型筒状部６ｂの上方には雄型筒状部６ｂより僅かに外径を大きくした雄型頭部６ａが形成されている。鍔部６ｃには補強の為のリブを設けることが望ましい。
【００２４】
雄型スナップ５を構成する雄型取付板７は同様にして金属材から形成され、生地Ｆを貫通し略円筒状に形成される筒状部７ａと、当該筒状部７ａの開口周縁部が外径方向に延設してなる鍔部７ｂとからなる。鍔部７ｂには補強の為のリブを設けることが望ましい。
【００２５】
雄スナップ５は、生地Ｆに形成された貫通孔の裏面より筒状部７ａを挿通し、表面より雄型本体６にて筒状部７ａを覆設すると共に、生地Ｆを狭持した状態で固着して形成される。
【００２６】
このようにして構成される雌スナップ１及び雄スナップ５は、図２に示すようにして係合される。詳細には、雄スナップ５における雄型頭部６ａの外径より僅かに小さく形成される雌スナップ２の突起部２ｃを当該頭部６ａに当接させ、雌スナップ２を下方へ押圧する。これにより、突起部２ｃは雌型筒状部２ｂの外径方向へ向けて弾性変形し、雄型頭部６ａに沿って下方へ摺動する。後に、当該突起部２ｃは雄型頭部６ａとの当接が解除されると、元の形状に復元し、雄型筒状部６ｂの外周壁と当接することで、雌スナップ１と雄スナップ５は係合される。
【００２７】
以上、説明した本発明に係るスナップボタンによれば、バネを採用することなく、金属材の弾性力を利用して雌スナップ１と雄スナップ５を係合することができるので、従来品と同様に部品点数を削減することができる。
また、プレス加工等によって、突起部２ｃを雌スナップ１における雌型筒状部２ｂの周壁に内径方向に突出させるだけであるので、樹脂成型時における複雑な金型等も不要となることから、生産コストの低減にも繋がる。
更に、図３に示すように、スナップボタンの係合時には、雌スナップ１における雌型頭部２ａと、雄スナップ５における雄型頭部６ａが外観に露呈することから、両者の色彩の組み合わせによりスナップボタンの意匠性を向上させることができる。
【００２８】
また、上記実施例に限られず、図４（ａ）に示すように、雌型本体２における雌型筒状部２ｂの周壁に別途突起部２ｃを設けることもできる。当該突起部２ｃは、雌型本体２と同様の金属材から形成することもできるが、容易に弾性変形し得る合成樹脂等で形成することが望ましい。
【００２９】
更に、生地Ｆが分厚い場合には、図４（ｂ）に示すように、突起部２ｃを雌型筒状部２ｂにおける周壁の鉛直方向の２箇所に設けることもできる。これにより、分厚い生地であっても、上下の２段によって係合することができるので、雌スナップ１と雄スナップ５の係合力が低減することはない。
【００３０】
更に、プレス加工等によって形成される突起部２ｃは図５に示すように、雌型筒状部２ｂにおける周壁の径方向であって等間隔に４箇所設けることもできる。当該突起部２ｃは、設置個数が制限されることはなく、図６に示すように、全周壁を突起部２ｃとすることもできる。これにより、雌スナップ１と雄スナップ５の係合力を向上させることができる。更に、雌型本体２及び雌型取付板３、雄型本体６及び雄型取付板７を合成樹脂等で形成することもできる。また、これらの実施例の組み合わせが制限されるものではない。
【符号の説明】
【００３１】
１      雌スナップ
２      雌型本体
２ａ    雌型頭部
２ｂ    雌型筒状部
２ｃ    突起部
２ｄ    係合部
３      雌型取付板
３ａ    挟着部
３ｂ    鍔部
４      パッキン
５      雄スナップ
６      雄型本体
６ａ    雄型頭部
６ｂ    雄型筒状部
６ｃ    鍔部
７      雄型取付板
７ａ    筒状部
７ｂ    鍔部
【図１】
2010264147.tif 000003
【図２】
2010264147.tif 000004
【図３】
2010264147.tif 000005
【図４】
2010264147.tif 000006
【図５】
2010264147.tif 000007
【図６】
2010264147.tif 000008